(57)【特許請求の範囲】
【請求項１】
１つのバックアップローラを含む複数のローラ間に張架されて循環駆動され得る像担持体ベルトと、前記バックアップローラとの間で像担持体ベルトおよび転写対象を挟圧しつつ像担持体ベルト上のトナー像を転写対象に転写させる転写ローラと、前記像担持体ベルトが循環駆動されないときに像担持体ベルトの張力を解除し得るテンション解除手段とを有し、
前記バックアップローラの側面が像担持体ベルトの蛇行を規制する蛇行規制部を構成しているとともに、像担持体ベルトは前記蛇行規制部により蛇行が規制される，当該像担持体ベルトの内周面に設けられていて前記バックアップローラの側面に当接するビードで構成された被規制部を有しており、かつ、
前記転写ローラは像担持体ベルトを介し前記バックアップローラに対して接離可能に構成され、像担持体ベルトの張力が解除されたときに、前記バックアップローラから前記ビードの高さよりも小さな離間距離で離間し像担持体ベルトに軽く当接して像担持体ベルトの前記ビードが前記バックアップローラの側面から外れるのを防止することを特徴とする画像形成装置。
【請求項２】
前記テンション解除手段は、像担持体ベルトに張力を付与し、または張力を解除するテンションローラを有しており、前記バックアップローラは、像担持体ベルトの循環方向に関して前記テンションローラのすぐ下流に配置されていることを特徴とする請求項１記載の画像形成装置。
【発明の詳細な説明】
【０００１】
【発明の属する技術分野】
本発明は、電子写真技術を用いて画像を形成するプリンター、ファクシミリ、複写機等の画像形成装置に関する。特に、その像担持体ベルト（感光体ベルトや中間転写ベルト等）の張架構造に関するものである。
【０００２】
【従来の技術】
一般に、電子写真技術を用いた画像形成装置は、外周面に感光層を有する感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段と、この現像手段により現像されたトナー像を転写対象（用紙や中間転写体等）に転写させる転写装置とを有している。
【０００３】
そして、このような画像形成装置のなかには、感光体として感光体ベルトが用いられたものが知られている。また、感光体上に現像されたトナー像を用紙等の記録媒体に転写させるために、感光体上に形成されたトナー像が転写（一次転写）され、このトナー像をさらに記録媒体に転写（二次転写）する中間転写ベルトを備えたものが知られている。
【０００４】
この種画像形成装置における感光体ベルトや中間転写ベルト等の像担持体ベルトは、複数本のローラ間に張架されて循環駆動されるようになっているので、例えば装置の電源等が切られる等して像担持体ベルトが循環駆動されない状態が長時間におよぶ場合に、像担持体ベルトがローラ間に張架された状態のままであると、ベルトの一部、特にローラへの巻掛け部に応力が作用し続けることによって、その部分にクリープ変形が生じ、その後装置が作動したときに、ベルトの変形部分に対応する部位において画像に濃度むらが生じることがある。
【０００５】
この問題を解決しようとしたものとしては、特開平４−１１９３７１号公報記載の電子写真装置が知られている。
【０００６】
図１６は、同装置の要部を示す図で、（ａ）は作動中の状態を、（ｂ）は停止時の状態を示した図である。
【０００７】
図において、１は感光体ベルト、２は中間転写ベルト、３は現像器、４は転写器である。
【０００８】
中間転写ベルト２は、２本のローラ５，６に張架される構造となっており、一方のローラ（テンションローラ）６はソレノイド７に連結されている。
【０００９】
そして、図示しない電源スイッチが入れられると、ソレノイド７に電流が流れ、図（ａ）に示すようにローラ６が矢印Ｅ方向に引かれて中間転写ベルト２が張架され、電源スイッチが切られると、ソレノイド７に流れていた電流が切られて図（ｂ）に示すようにローラ６が矢印Ｆ方向に移動し、中間転写ベルト２に作用する張力が解除されるようになっている。
【００１０】
したがって、この装置によれば、前述した問題、すなわちベルトのクリープ変形による画像濃度むらの発生という問題は解決されることとなる。
【００１１】
【発明が解決しようとする課題】
ところが、上述した装置では、ローラ６が矢印Ｆ方向に移動して中間転写ベルト２に作用する張力が解除された後、ローラ６が矢印Ｅ方向に引かれて中間転写ベルト２が張架される際、中間転写ベルト２が本来あるべき位置（軸線方向（図７の紙面と直交する方向でありベルト幅方向）における適正位置）からずれてしまうおそれがある。
【００１２】
この問題を解決しようとしたものとしては、挟持手段とロールとでベルトを挟持しておいてからベルトの張力を解除するようにし、これによってベルトの上記位置ズレを防止するようにしたものが知られている（特開平８−２１１７５２号）。
【００１３】
しかしながら、このものによると、上記位置ズレを防止すべく挟持手段とロールとでベルトを挟持する構造となっているが故に、ベルトの挟持時間が長時間におよぶと、その挟持部にクリープ変形が生じてしまうおそれがある。すなわち、このものによると、ベルトの位置ズレは防止することはできるけれども、逆に、本来解決しなければならない、ベルトのクリープ変形による画像濃度むらの発生という問題は解決できないこととなってしまう。
【００１４】
本発明の目的は以上のような課題を解決し、画像に濃度むらが生じず、かつベルトの位置ズレも生じない画像形成装置を提供することにある。
【００１５】
【課題を解決するための手段】
上記目的を達成するために請求項１記載の画像形成装置は、１つのバックアップローラを含む複数のローラ間に張架されて循環駆動され得る像担持体ベルトと、前記バックアップローラとの間で像担持体ベルトおよび転写対象を挟圧しつつ像担持体ベルト上のトナー像を転写対象に転写させる転写ローラと、前記像担持体ベルトが循環駆動されないときに像担持体ベルトの張力を解除し得るテンション解除手段とを有し、
前記バックアップローラの側面が像担持体ベルトの蛇行を規制する蛇行規制部を構成しているとともに、像担持体ベルトは前記蛇行規制部により蛇行が規制される，当該像担持体ベルトの内周面に設けられていて前記バックアップローラの側面に当接するビードで構成された被規制部を有しており、かつ、
前記転写ローラは像担持体ベルトを介し前記バックアップローラに対して接離可能に構成され、像担持体ベルトの張力が解除されたときに、前記バックアップローラから前記ビードの高さよりも小さな離間距離で離間し像担持体ベルトに軽く当接して像担持体ベルトの前記ビードが前記バックアップローラの側面から外れるのを防止することを特徴とする。
【００１７】
請求項２記載の画像形成装置は、請求項１記載の画像形成装置において、前記テンション解除手段は、像担持体ベルトに張力を付与し、または張力を解除するテンションローラを有しており、前記バックアップローラは、像担持体ベルトの循環方向に関して前記テンションローラのすぐ下流に配置されていることを特徴とする。
【００１８】
【作用効果】
請求項１記載の画像形成装置は、１つのバックアップローラを含む複数のローラ間に張架されて循環駆動され得る像担持体ベルトと、前記バックアップローラとの間で像担持体ベルトおよび転写対象を挟圧しつつ像担持体ベルト上のトナー像を転写対象に転写させる転写ローラとを有しているので、循環駆動される像担持体ベルト上のトナー像を転写対象に転写させることができる。
【００１９】
また、像担持体ベルトが循環駆動されないときに像担持体ベルトの張力を解除し得るテンション解除手段を有しているので、循環駆動されない期間が長くなったとしても、像担持体ベルトにクリープ変形が生じなくなる。
【００２０】
したがって、その後装置が作動し、像担持体ベルトが循環駆動されたときに、画像に濃度むらが生じなくなる。
【００２１】
そして、前記バックアップローラが像担持体ベルトの蛇行を規制する蛇行規制部を有しているとともに、像担持体ベルトは前記蛇行規制部により蛇行が規制される被規制部を有しているので、像担持体ベルトの蛇行が規制されて、品質の高い画像が形成されることとなる。
【００２２】
さらに、転写ローラは像担持体ベルトを介し前記バックアップローラに対して接離可能に構成され、像担持体ベルトの張力が解除されたときには、転写ローラが像担持体ベルトに軽く当接することで像担持体ベルトの前記被規制部が前記バックアップローラの蛇行規制部から外れるのが防止されるから、像担持体ベルトの前述したような幅方向の位置ズレも防止され、適正な画像が形成可能となる。
【００２３】
しかも、転写ローラは、像担持体ベルトの張力が解除されたときに、像担持体ベルトに軽く当接するだけであるから、この当接によって像担持体ベルトがクリープ変形するということはない。
【００２４】
以上のように、この請求項１記載の画像形成装置によれば、画像に濃度むらが生じずかつベルトの位置ズレも生じないので、濃度むらのない適正な画像が得られ、さらに、像担持体ベルトの蛇行が規制されるので、品質の高い画像が得られる。
【００２５】
しかも、像担持体ベルトの被規制部がバックアップローラの蛇行規制部から外れるのを転写動作に必要な転写ローラで防止するようになっているので、他に特別の防止手段を設けることが必ずしも必要ではなくなる。
【００２６】
請求項２記載の画像形成装置によれば、請求項１記載の画像形成装置において、前記蛇行規制部はバックアップローラの側面で構成され、前記被規制部は像担持体ベルトの内周面に設けられた、前記側面に当接するビードで構成され、前記転写ローラの離間距離が、前記ビードの高さよりも小さく構成されているので、像担持体ベルトのビードが前記バックアップローラの側面から外れるのを確実に防止することができる。
【００２７】
請求項３記載の画像形成装置によれば、請求項１または２記載の画像形成装置において、前記テンション解除手段は、像担持体ベルトに張力を付与し、または張力を解除するテンションローラを有しているので、このテンションローラの作用によって像担持体ベルトに張力が付与されまたは解除されることとなる。
【００２８】
このようなテンションローラを備えていると、このテンションローラへの巻掛け部においてベルトが特に蛇行（ないし斜行）し易い傾向が生じることがあるが、この請求項３記載の画像形成装置によれば、前記バックアップローラが、像担持体ベルトの循環方向に関してテンションローラのすぐ下流に配置されているので、仮にテンションローラへの巻掛け部においてベルトが蛇行（ないし斜行）したとしても、すぐにその下流において蛇行（ないし斜行）が矯正されることとなる。
【００２９】
したがって、ベルトの蛇行（斜行）量を低減させることができる。
【００３０】
【発明の実施の形態】
以下、本発明の実施の形態について図面を参照して説明する。
【００３１】
図１は本発明に係る画像形成装置の一実施の形態を示す概略図である。
【００３２】
先ず、この画像形成装置の概要について説明し、次いで、像担持体ベルトとしての中間転写ベルトの張架構造等について詳しく説明する。
【００３３】
この画像形成装置３００は、イエロー（Ｙ）、シアン（Ｃ）、マゼンタ（Ｍ）、ブラック（Ｋ）の４色のトナーによる現像器を用いてフルカラー画像を形成することのできる装置である。
【００３４】
図１において、３０１は装置本体のケースであり、このケース３０１内に、露光ユニット３０２、給紙装置３１０、感光体ユニット３２０、現像ユニット３３０、中間転写ユニットＴＵ、定着ユニット３４０、およびこの装置全体の制御を行なう制御ユニット（図示せず）、等が設けられている。
【００３５】
感光体ユニット３２０は、感光体３２１と、帯電手段としての帯電ローラ３２２と、クリーニング手段３２３とを有している。感光体３２１は、画像形成時に、図示しない適宜の駆動手段によって図示矢印方向に回転駆動される。
【００３６】
感光体３２１の周りに、その回転方向に沿って、前記帯電ローラ３２２、現像手段としての現像器３３１（Ｙ，Ｃ，Ｍ，Ｋ）、中間転写ユニットＴＵ、および前記クリーニング手段３２３が配置されている。
【００３７】
帯電ローラ３２２は、感光体３２１の外周面に当接して外周面を一様に帯電させる。一様に帯電した感光体３２１の外周面には、露光ユニット３０２によって所望の画像情報に応じた選択的な露光Ｌ１がなされ、この露光Ｌ１によって感光体３２１上に静電潜像が形成される。
【００３８】
この静電潜像は、現像ユニット３３０の現像器３３１でトナーが付与されて現像される。
【００３９】
現像ユニット３３０は、現像手段として、イエロー用の現像器３３１Ｙ、シアン用の現像器３３１Ｃ、マゼンタ用の現像器３３１Ｍ、ブラック用の現像器３３１Ｋを備えている。これら各現像器３３１（Ｙ，Ｃ，Ｍ，Ｋ）は、それぞれ内部にイエロー、シアン、マゼンタ、ブラックのトナーを内蔵している。また、それぞれ現像ローラ３３２を備えており、図示しない接離機構によって、画像形成時にはいずれか１つの現像器の現像ローラのみが感光体３２１に当接し得るようになっている。したがって、これらの現像器３３１は、イエロー、シアン、マゼンタ、ブラックのうちのいずれかのトナーを感光体３２１の表面に付与して感光体３２１上の静電潜像を現像する。
【００４０】
現像されたトナー像は、中間転写ユニットＴＵの中間転写ベルト１６０上に転写される。
【００４１】
クリーニング手段３２３は、上記転写後に、感光体３２１の外周面に残留し付着しているトナー（図示せず）を掻き落とすクリーニングブレード３２４を備えている。
【００４２】
中間転写ユニットＴＵは、後に詳しく説明するように、駆動ローラ１１０と、４本の従動ローラ１２０，１３０，１４０，１５０と、これら各ローラ間に循環可能に張架された像担持体ベルトとしての無端状の中間転写ベルト１６０と、この中間転写ベルト１６０に対して接離可能なクリーニング手段１７０と、二次転写ローラ１８０とを有している。
【００４３】
駆動ローラ１１０は、その端部に固定された図示しない歯車が、感光体３２１の駆動用歯車（図示せず）と噛み合うことによって、感光体３２１と略同一の周速で回転駆動され、したがって中間転写ベルト１６０が感光体３２１と略同一の周速で図示矢印方向に循環駆動されるようになっている。
【００４４】
従動ローラ１５０は、駆動ローラ１１０との間で中間転写ベルト１６０がそれ自身の張力によって感光体３２１に圧接される位置に配置されており、感光体３２１と中間転写ベルト１６０との圧接部において一次転写部Ｔ１が形成されている。
【００４５】
駆動ローラ１１０には、中間転写ベルト１６０を介して図示しない電極ローラが配置されており、この電極ローラを介して、中間転写ベルト１６０に一次転写電圧が印加される。
【００４６】
従動ローラ１２０はテンションローラであり、後述する付勢手段によって中間転写ベルト１６０をその張り方向に付勢している。
【００４７】
従動ローラ１３０は、二次転写部Ｔ２を形成するバックアップローラである。このバックアップローラ１３０には、中間転写ベルト１６０を介して二次転写ローラ１８０が対向配置されている。
【００４８】
二次転写ローラ１８０は、図示しない接離機構により中間転写ベルト１６０に対して接離可能である。二次転写ローラ１８０には、二次転写電圧が印加される。
【００４９】
クリーニング手段１７０は、中間転写ベルト１６０と接触してその外周面に残留し付着しているトナーを掻き落とすクリーニングブレード１７１と、このクリーニングブレード１７１によって掻き落とされたトナーを受ける受け部１７２とを備えている。このクリーニング手段１７０のブレード１７１は、後述する接離機構によって中間転写ベルト１６０に対して接離可能である。
【００５０】
従動ローラ１４０は、ブレード１７１のためのバックアップローラである。
【００５１】
中間転写ベルト１６０が循環駆動される過程で、一次転写部Ｔ１において、感光体３２１上のトナー像が中間転写ベルト１６０上に転写され、中間転写ベルト１６０上に転写されたトナー像は、二次転写部Ｔ２において、二次転写ローラ１８０との間に供給される転写対象である用紙等のシート（記録材）Ｓに転写される。
【００５２】
シートＳは、給紙装置３１０から給送され、ゲートローラ対Ｇによって所定のタイミングで二次転写部Ｔ２に供給される。３１１は給紙カセット、３１２はピックアップローラ、３１３はシートの重送を防止する分離ローラ対である。
【００５３】
二次転写部Ｔ２でトナー像が転写されたシートＳは、定着ユニット３４０を通ることによってそのトナー像が定着され、排紙経路３５０を通って、装置本体のケース３０１上に形成されたシート受け部３０３上に排出される。
【００５４】
定着ユニット３４０は、熱源を有する定着ローラ３４１と、これに圧接されている加圧ローラ３４２とを有している。
【００５５】
なお、この画像形成装置は、排紙経路３５０として、互いに独立した２つの排紙経路３５１，３５２を有しており、定着ユニット３４０を通ったシートはいずれかの排紙経路（３５１または３５２）を通って排出される。また、この排紙経路３５１，３５２はスイッチバック経路をも構成しており、シートの両面に画像を形成する場合には、排紙経路３５１または３５２に一旦進入したシートが、返送路３５３を通って再び二次転写部Ｔ２に向けて給送されるようになっている。
【００５６】
以上のような画像形成装置全体の作動の概要は次の通りである。
【００５７】
（ｉ）図示しないホストコンピュータ等（パーソナルコンピュータ等）からの印字指令信号（画像形成信号）が画像形成装置の図示しない制御部に入力されると、後述するようにしてテンションローラ１２０が動き、中間転写ベルト１６０が張架状態となる。次いで、感光体３２１、現像器３３１の各ローラ３３２、および中間転写ベルト１６０が回転駆動される。
【００５８】
（ｉｉ）感光体３２１の外周面が帯電ローラ３２２によって一様に帯電される。
【００５９】
（ｉｉｉ）一様に帯電した感光体３２１の外周面に、露光ユニット３０２によって第１色目（例えばイエロー）の画像情報に応じた選択的な露光Ｌ１がなされ、第１色目（例えばイエロー）用の静電潜像が形成される。
【００６０】
（ｉｖ）感光体３２１には、第１色目（例えばイエロー）用の現像器３３１Ｙの現像ローラのみが接触し、これによって上記静電潜像が現像され、第１色目（例えばイエロー）のトナー像が感光体３２１上に形成される。
【００６１】
（ｖ）中間転写ベルト１６０には上記トナーの帯電極性と逆極性の一次転写電圧が印加され、感光体３２１上に形成されたトナー像が、一次転写部Ｔ１において中間転写ベルト１６０上に転写される。このとき、二次転写ローラ１８０およびベルトクリーニング手段１７０は、中間転写ベルト１６０から離間している。
【００６２】
（ｖｉ）感光体３２１上に残留しているトナーが感光体クリーニング手段３２３によって除去された後、除電手段３０４からの除電光Ｌ２によって感光体３２１が除電される。
【００６３】
（ｖｉｉ）上記（ｉｉ）〜（ｖｉ）の動作が必要に応じて繰り返される。すなわち、上記印字指令信号の内容に応じて、第２色目、第３色目、第４色目、と繰り返され、上記印字指令信号の内容に応じたトナー像が中間転写ベルト１６０上において重ね合わされて中間転写ベルト１６０上に形成される。
【００６４】
（ｖｉｉｉ）所定のタイミングで給紙装置３１０からシートＳが供給され、シートＳの先端が二次転写部Ｔ２に達する直前にあるいは達した後に（要するにシートＳ上の所望の位置に、中間転写ベルト１６０上のトナー像が転写されるタイミングで）二次転写ローラ１８０が中間転写ベルト１６０に押圧されるとともに二次転写電圧が印加され、中間転写ベルト１６０上のトナー像（基本的には４色のトナー像が重ね合わせられたフルカラー画像）がシートＳ上に転写される。また、ベルトクリーニング手段１７０が中間転写ベルト１６０に当接し、二次転写後に中間転写ベルト１６０上に残留しているトナーが除去される。
【００６５】
（ｉｘ）シートＳが定着ユニット３４０を通過することによってシートＳ上にトナー像が定着し、その後、シートＳが所定の位置に向け（両面印刷でない場合にはシート受け部３０３に向け、両面印刷の場合には、スイッチバック経路３５１または３５２を経て返送路３５３に向け）搬送される。
【００６６】
以上、画像形成装置の概要について説明したが、次に主として中間転写ベルトの張架構造について、中間転写ユニットＴＵの構造とともに説明する。
【００６７】
図２は中間転写ユニットＴＵおよび、このユニットＴＵを着脱可能に装着するために画像形成装置３００に設けられた受けフレーム４００およびそのスライドフレーム４１０を示す斜視図、図３は主として中間転写ユニットＴＵを示す一部省略正面図、図４はテンションが解除された状態の中間転写ユニットＴＵを示す一部省略背面図である。
【００６８】
前述したように中間転写ユニットＴＵは、駆動ローラ１１０と、４本の従動ローラ１２０，１３０，１４０，１５０と、これら各ローラ間に循環可能に張架された像担持体ベルトとしての無端状の中間転写ベルト１６０と、この中間転写ベルト１６０に対して接離可能なクリーニング手段１７０（図２，図３においては省略してある）と、二次転写ローラ１８０とを有している。
【００６９】
この中間転写ユニットＴＵは、図５に示すように、第１ユニットＵ１と第２ユニットＵ２とを有しており、第２ユニットＵ２は図６に示すように第１ユニットＵ１の中空部１０３に抜き差しされることによって第１ユニットＵ１に対し着脱可能に装着される。したがって、中間転写ベルト１６０を交換するには、第１ユニットＵ１のみを交換すれば良いようになっている。
【００７０】
第１ユニットＵ１は、フレーム１００を有しており、このフレーム１００の側板１０１，１０１’によって、前述した駆動ローラ１１０と、テンションローラ１２０を除く３本の従動ローラ１３０，１４０，１５０，および二次転写ローラ１８０とが回転可能に支持されている。
【００７１】
図４に示すように、クリーニング手段１７０は、前述したクリーニングブレード１７１と、このクリーニングブレード１７１によって掻き落とされたトナーを受ける受け部１７２と、受け部１７２のトナーを搬送する搬送スクリュー１７３とを備えており、これらはユニットとして構成されている。１７４は、そのユニットのケースであり、このケース１７４の上部に取付部材１７５を介してクリーニングブレード１７１が取り付けられている。受け部１７２はケース１７４の略半円筒部分によって形成されている。ケース１７４の両端部（図４の紙面と直交する方向において両端部）は円筒状（１７４ａ）に形成されており、この円筒部１７４ａに軸受部材１７６を介して搬送スクリュー１７３の軸１７３ａの両端部分が回転可能に支持されている。ケース１７４は、その両端の円筒部１７４ａ，１７４ａが、フレーム１００の側板１０１，１０１’（図２参照）に形成された受け穴１０８，１０８に図示しない軸受部材を介して嵌まり合うことによってフレーム１００に対して前記円筒部１７４ａ回りに回動可能に支持されている。ケース１７４の両端上部と、フレーム１００の側板１０１，１０１’（図２参照）内側に屈曲形成されたバネ掛部１０９，１０９との間にはそれぞれ引っ張りバネ１７７（図４参照）が張架されており、このバネ１７７，１７７（図４において一方のみ図示）の付勢力によって、ケース１７４はクリーニングブレード１７１を中間転写ベルト１６０に圧接する方向（図４において反時計方向）に常時付勢されているが、クリーニングブレード１７１の圧接は接離機構によって規制されるようになっている。接離機構は、受けフレーム４００側に設けられたカム３０５と、このカム３０５に当接するケース１７４の当接部１７４ｂと、前記バネ１７７とで構成されている。カム３０５は、画像形成装置３００本体側に設けられた図示しない駆動手段によって回転駆動されるようになっており、図４に示すように、その小径部３０５ａがケース１７４の当接部１７４ｂに対して当接することなく対向するとき、ケース１７４がその円筒部１７４ａを中心としてバネ１７７の付勢力で反時計方向に回動し、バネ１７７の付勢力でクリーニングブレード１７１が中間転写ベルト１６０に圧接される。また、図４に示す状態からカム３０５がおよそ１２０゜回転してその大径部３０５ｂがケース１７４の当接部１７４ｂに当接すると、ケース１７４がその円筒部１７４ａを中心としてバネ１７７の付勢力に抗して時計方向に回動し、クリーニングブレード１７１が中間転写ベルト１６０から離間することとなる（離間した状態は図示していない）。
【００７２】
図３に示すように、フレーム１００は、側板１０１，１０１’を連結している断面略逆凹形状の連結板１０２を有しており、この連結板１０２の存在によって構造上十分な強度を有している。すなわち、フレーム１００は中間転写ベルト１６０の下方に位置する底板を有していないが、強度的には十分なものとなっている。
【００７３】
側板１０１，１０１’も側面視略逆凹形状をなしていることから、これら側板１０１，１０１’および連結板１０２の凹所（１０３）で、第２ユニットＵ２を受け入れるための中空部１０３が形成されている。
【００７４】
後に詳しく説明するが、図３に示すように、第２ユニットＵ２は、フレーム２００と、テンションローラ（従動ローラ）１２０と、このテンションローラ１２０により中間転写ベルト１６０に張力を付与する張力付与手段２２０と、中間転写ベルト１６０の張力を解除し得るテンション解除手段２４０とを有している。
【００７５】
したがって、第２ユニットＵ２が第１ユニットＵ１に装着された状態で、中間転写ベルト１６０は、図３に示すように、各ローラ１１０〜１５０によって張架され得るし、図８および図４に示すようにそのテンションが解除され得る。
【００７６】
図７は第２ユニットＵ２を示す一部省略右側面図である。
【００７７】
図３〜図７に示すように、張力付与手段２２０は、テンションローラ１２０の両端を回転可能に支持する一対のレバー２２１，２２１と、これらレバー２２１，２２１を図３において矢印ａ方向に付勢する付勢手段としての引っ張りバネ２２２（図５，図７参照）とを有している。
【００７８】
図３〜図５に示すように、一対のレバー２２１，２２１は、正面視略Ｌ字形であり、フレーム２００の側板２０１，２０１’に軸２０２（図３参照）でそれぞれ独立して回動可能に支持されている。レバー２２１の一端２２１ａにはテンションローラ１２０の軸１２１（図５参照）の端部が連結されており、他端２２１ｂには、ワイヤ２２３を介して前記引っ張りバネ２２２が連結されている。図５、図６に示すように、ワイヤ２２３は、レバー２２１の他端２２１ｂに連結され、後述するテンション解除手段２４０の揺動フレーム２４１の天板２４１ａに回転可能に軸支されたプーリ２２４により方向が９０゜転換されて引っ張りバネ２２２の一端に連結されている。すなわち、それぞれ独立して回動可能な一対のレバー２２１の他端２２１ｂは、一本の引っ張りバネ２２２の両端にワイヤ２２３を介してそれぞれ連結されており、各レバー２２１の回動角度が異なっている場合でも、各レバー２２１は引っ張りバネ２２２による同一（共通の）のバネ力で図３の矢印ａ方向に付勢されるようになっている。
【００７９】
図３〜図５に示すように、テンション解除手段２４０は、フレーム２００の側板２０１，２０１’に対して、前記レバー２２１と同軸２０２で揺動可能に支持された前記揺動フレーム２４１と、この揺動フレーム２４１を図３において矢印ｂ方向（反時計方向）に付勢している引っ張りバネ２４２，２４２（図３，図４においてそれぞれ一方のみ図示）とを有している。揺動フレーム２４１は、前記天板２４１ａと、その両端を屈曲して形成した一対の側板２４１ｂ，２４１ｂとを有しており、天板２４１ａの両端部分に形成されたバネ掛部２４１ｃ，２４１ｃ（図７参照）と、フレーム２００の側板２０１，２０１’の内面に設けられたバネ掛部２０１ａ，２０１ａ（図３，図４においてそれぞれ一方のみ図示）との間に前記引っ張りバネ２４２がそれぞれ張架されていることによって、前記軸２０２回り（図３において反時計方向）に付勢されている。
【００８０】
側板２４１ｂ，２４１ｂの内面には、それぞれカムフォロア２４３（図７参照）が軸２４３ａで回転可能に設けられており、このカムフォロア２４３がカム２４４とそれぞれ当接する。
【００８１】
図４、図７に示すように、カム２４４は、電磁クラッチ２４５からの出力軸（カム軸）２４６に固定されている。電磁クラッチ２４５は、図４に示すように、そのケース２４５ａに設けられた一対の係合片２４５ｂの間に、フレーム２００の側板２０１，２０１’を連結している連結板２０７（図１０（ｂ）参照）の内面側に設けられた図示しない係合部が挿入される（係合される）ことによって出力軸２４６回りの回転が規制されている。図７に示すように、電磁クラッチ２４５は、円板状の回転角度規制部材２４５ｃと、入力用のギア２４７とを有しており、このギア２４７にギア２４８が噛み合っている。ギア２４８は、前記連結板２０７（図１０（ｂ）参照）に設けられた支持板２０７ａ（図７参照）と前記側板２０１’とで回転可能に支持された軸２４８ａに固定されており、この軸２４８ａの外端部に、動力受け入れ用のギア２４９が固定されている。なお、電磁クラッチ２４５の出力軸２４６は、前記回転角度規制部材２４５ｃおよびギア２４７を貫通しており、これら回転角度規制部材２４５ｃおよびギア２４７とは独立して回動する。また、これら電磁クラッチ２４５，出力軸２４６，ギア２４７，およびカム２４４，２４４は、予め組み立てられた状態で、側板２０１，２０１’に形成されたスリット２０３，２０３（図３〜図５参照）に、出力軸２４６の両端部を、これに図示しない軸受部材を装着した状態で入れ込むことによってフレーム２００に組み込まれる。
【００８２】
動力受け入れ用のギア２４９は、図３および図４に示すように第２ユニットＵ２が第１ユニットＵ１に装着された状態の中間転写ユニットＴＵが、後述するようにして受けフレーム４００に装着されたとき、受けフレーム４００側に設けられた図示しないギアと噛み合い、このギアを介して装置本体の図示しない駆動手段からの動力を受けるようになっている。
【００８３】
すなわち、カム２４４は、中間転写ユニットＴＵが装置本体に装着されたとき、図示しない駆動手段によって、ギア２４９，２４８，ギア２４７，電磁クラッチ２４５，およびその出力軸２４６を介し、電磁クラッチ２４５の作用により、図３または図４に示す位置に回動駆動される。
【００８４】
図３に示すようにカム２４４は大径部２４４ａと小径部２４４ｂとを有しており、同図に示すようにその大径部２４４ａがカムフォロア２４３と当接しているとき、揺動フレーム２４１が引っ張りバネ２４２の付勢力に抗し図３において時計方向に回動して同図に示すような状態となり、張力付与手段２２０の引っ張りバネ２２２の付勢力によってテンションローラ１２０が中間転写ベルト１６０を内方から押圧する。これによって、中間転写ベルト１６０にテンションが付与され、駆動ローラ１１０で中間転写ベルト１６０が循環駆動され得る状態となる。
【００８５】
一方、図３に示した状態から図８および図４に示すようにカム２４４が回動し、その小径部２４４ｂがカムフォロア２４３と当接すると、揺動フレーム２４１が引っ張りバネ２４２の付勢力により図８において反時計方向に回動して同図に示すような状態となる。この際、張力付与手段２２０の引っ張りバネ２２２は依然としてレバー２２１を時計方向に付勢しているが、揺動フレーム２４１が反時計方向に回動することによりレバー２２１は揺動フレーム２４１の天板２４１ａと当接することで時計方向（矢印ａ方向）への回動が規制され、結果としてテンションローラ１２０が中間転写ベルト１６０から離間する（ベルトに張力を付与しない位置に移動する）こととなる。これによって、中間転写ベルト１６０のテンションが解除されることとなる。
【００８６】
この実施の形態では、装置３００の電源が入れられた状態で前述した画像形成信号が入力されるとカム２４４が図３に示すように回動して中間転写ベルト１６０を張架状態とし、画像形成動作が終了して所定時間経過すると、カム２４４が図８で示すように回動して中間転写ベルト１６０の張架状態が解除されるようになっている。なお、装置３００の電源が入れられた際にカム２４４が図３に示すように回動して中間転写ベルト１６０を張架状態とし、装置の電源が切られたときに、カム２４４が図８で示すように回動して中間転写ベルト１６０の張架状態が解除されるようにしても良い。
【００８７】
二次転写ローラ１８０は、図示しない付勢手段およびカム等を有する接離機構により中間転写ベルト１６０に対して接離可能である。この二次転写ローラ１８０は、前述した画像形成動作がなされ、二次転写部Ｔ２（図１参照）における二次転写がなされる際にはその付勢手段によって記録材Ｓおよび中間転写ベルト１６０を介してバックアップローラ１３０に圧接されて中間転写ベルト１６０（および記録材Ｓ）に従動回転し（図１参照）、それ以外の時には接離機構の作動でバックアップローラ１３０に対する圧接が解除されるようになっている（図３参照）。したがって、少なくとも前述したテンション解除手段２４０の作動で中間転写ベルト１６０のテンションが解除されているときには、上記バックアップローラ１３０に対する圧接は解除された状態となる（図８参照）。
【００８８】
図９は中間転写ベルト１６０およびローラ１１０〜１５０の概略的な展開図である。
【００８９】
テンションローラ１２０は、中間転写ベルト１６０の蛇行を修正すべく、その両端部１２２が先細のテーパ状に構成されている。
【００９０】
また、バックアップローラ１３０は、中間転写ベルト１６０の循環方向に関してテンションローラ１２０のすぐ下流に配置されている。
【００９１】
図９および図３に示すように、中間転写ベルト１６０には、その両側縁部裏面に被規制部としてのビード１６１が設けられており、中間転写ベルト１６０が蛇行しようとしたときに、ビード１６１の内側面１６２がバックアップローラ１３０の蛇行規制部としての端面（側面）１３１に当接することによって中間転写ベルト１６０の蛇行が防止されるようになっている。別言すれば、バックアップローラ１３０はビード規制ローラを構成している。
【００９２】
ここで、仮に何等の手段も講ぜられていないとしたならば、上述したようにして中間転写ベルト１６０のテンションが解除されて中間転写ベルト１６０が弛んだ際、ビード１６１がビード規制ローラとしてのバックアップローラ１３０の端面１３１から外れてしまうおそれがある。
【００９３】
そこで、この実施の形態では、図８に示すように、二次転写ローラ１８０のバックアップローラ１３０に対する圧接が解除された際の、二次転写ローラ１８０の離間距離Ｌが、ビード１６１の高さＨよりも小さくなるように構成してある。
【００９４】
このように構成すると、テンション解除手段２４０の前述した作動により弛んだ中間転写ベルト１６０が二次転写ローラ１８０に軽く当接することで、バックアップローラ１３０からの中間転写ベルト１６０の離間距離が上記Ｌ以下すなわちビード１６１の高さＨ以下に規制され、結果としてビード１６１がバックアップローラ１３０の端面１３１から外れてしまうということがなくなる。
【００９５】
また、この実施の形態では、図３および図５等に示すように、フレーム１００の側板１０１，１０１’におけるバックアップローラ１３０近くの部位を内方に屈曲して舌片状に形成し、この舌片１０４，１０４を、弛んだ際の中間転写ベルト１６０の表面両側縁部に軽く当接させることによって、バックアップローラ１３０近くにおける弛みを規制し、ビード１６１がバックアップローラ１３０の端面１３１から外れることを一層確実に防止している。
【００９６】
第１ユニットＵ１に対する第２ユニットＵ２の着脱構造は、適宜の構造を採用し得る。
【００９７】
この実施の形態では、図１０に示すように、第２ユニットＵ２のフレーム２００の先端（挿入方向先端）両側に被ガイド部としての一対のピン２０４，２０４’を設けるとともに、第１ユニットＵ１におけるフレーム１００の連結板１０２の両内側面に、前記ピン２０４，２０４’を上下方向から規制して案内するガイドレール１０５，１０５’を設けてある。
【００９８】
このガイドレール１０５，１０５’は、そのガイド溝１０５ａの幅が先端部でテーパ状に先細り（後述するガイドレール４０１（図１４，図１５参照）の先端部４０１ａ１と実質的に同様な形状）となっており、終端部でピン２０４の外径と同一寸法となっている。
【００９９】
また、一方のガイドレール１０５の終端部（図１０（ａ）参照）には合成樹脂製の位置決めブロック２１０が固定されている。この位置決めブロック２１０は、ピン２０４の挿入方向に（図１０（ａ）において上方）対して他方のガイドレール１０５’側に向かって傾斜している傾斜面２１０ａと、この傾斜面２１０ａに連なる平行面２１０ｂとを有している。
【０１００】
一方、第２ユニットＵ２のフレーム２００の他方（図において右側）の連結板２０７’の先端（挿入方向先端）下部には、取付金具２１１を介してゴム等の弾性部材２１２が固定されている。
【０１０１】
さらに、図２、図５および図６に示すように、第２ユニットＵ２のフレーム２００の後端（挿入方向後端）側の側板２０１の上部にフック２０５を設けるとともに、第１ユニットＵ１におけるフレーム１００の一方の側板１０１の前記フック２０５との対向部にはフック２０５との係合部１０６を設けてある。
【０１０２】
また、前記側板２０１の上部両端には一対の位置決めピン２０６，２０６を設けるとともに、第１ユニットＵ１の前記側板１０１には、ピン２０６，ピン２０６との係合穴１０７，１０７を設けてある。フック２０５は図示しないバネにより係合部１０６と係合する方向に常時付勢されているが、摘み２０５ａを持って係合部１０６との係合を解除し得るように構成してある。
【０１０３】
第２ユニットＵ２を第１ユニットＵ１に装着するには、図１０に示すように、第２ユニットＵ２先端のピン２０４，２０４’を第１ユニットＵ１のガイドレール１０５，１０５’に入れるようにして第２ユニットＵ２を第１ユニットＵ１の中空部１０３に挿入する（図６参照）。
【０１０４】
この挿入により、第２ユニットＵ２のフック２０５は、これが第１ユニットＵ１の係合部１０６に達すると、その傾斜部２０５ｂが係合部１０６に当接することで前記バネ力に抗して回動しつつ係合部１０６を乗り越えるようにして係合部１０６と係合しする。これによって第２ユニットＵ２の第１ユニットＵ１に対する抜き差し方向に関する位置決めがなされる。
【０１０５】
同時に、第２ユニットＵ２の前端部（図１０（ａ）において上部）は、ピン２０４，２０４’がガイドレール１０５，１０５’の先端部に達して前述した先細りの溝１０５ａのその先端部分と係合することで図１０（ｂ）において上下方向に関する位置決めがなされるとともに、第２ユニットＵ２が挿入される際に一方のピン２０４が位置決めブロック２１０の傾斜面２１０ａから平行面２１０ｂへと移動する過程で他方のガイドレール１０５’側（図１０において右方）へと移動し（したがって第２ユニットＵ２の先端部も右方へと移動し）、これによって第２ユニットＵ２が第１ユニットＵ１におけるフレーム１００の側板１０１’の縁部との間で前記弾性部材２１２を挟圧することで、左右方向に関する位置決めがなされることとなる。
【０１０６】
また同時に、第２ユニットＵ２の後端部は、前記位置決めピン２０６，２０６が第１ユニットＵ１の係合穴１０７，１０７に嵌まり合うことによって上下左右に関する位置決めがなされる。
【０１０７】
以上によって第１ユニットＵ１と第２ユニットＵ２との位置決めが完全になされて第２ユニットＵ２の第１ユニットＵ１への装着が完了する。
【０１０８】
第２ユニットＵ２を第１ユニットＵ１から取り外すには、摘み２０５ａを持ってフック２０５と係合部１０６との係合を解除し、第２ユニットＵ２を第１ユニットＵ１から引き抜けば良い。
【０１０９】
なお、図２および図５に示すように二次転写ローラ１８０の軸１８１はフレーム１００の側板１０１，１０１’に設けられた長穴１０１ｅ（一方のみ図示）に挿通されていることによってその移動距離が規制され、前述した離間距離Ｌが保たれるようになっているので、第２ユニットＵ２を第１ユニットＵ１から引き抜いた際にも、ビード１６１がバックアップローラ１３０の端面１３１から外れてしまうということはない。
【０１１０】
第２ユニットＵ２の第１ユニットＵ１に対する抜き差しは、テンション解除手段２４０が作動状態、すなわち、カム２４４の小径部２４４ｂがカムフォロア２４３と当接している状態（図８に示すテンション解除状態）で行なう。カム２４４の大径部２４４ａがカムフォロア２４３と当接している非作動状態（図３に示すテンション状態）で行なおうとすると、テンションローラ１２０と中間転写ベルト１６０内面との間に摺接抵抗が生じ、その抵抗が大きいことから、第２ユニットＵ２の第１ユニットＵ１に対する抜き差しが困難になるからである。なお、後述するように、第２ユニットＵ２を抜く際には自動的にテンション解除手段２４０が作動状態（図８に示すテンション解除状態）となっていることとなる。
【０１１１】
以上のような中間転写ユニットＴＵは、図２に示すように、画像形成装置３００の本体側に設けられた受けフレーム４００に上方から着脱可能に装着される。
【０１１２】
受けフレーム４００は、画像形成装置３００本体のフレーム３００Ｆ１（図１４参照）に固定された略水平方向に伸びる一対のガイドレール４０１，４０１と、このガイドレール４０１，４０１に対してスライド可能に取り付けられたスライドフレーム４１０とを有している。
【０１１３】
スライドフレーム４１０は、一対の側板４１１，４１１’と、これら側板同士をその一端側で連結している連結部材４１２と、側板同士をその他端側で連結している連結板４１３とを有しているが、底板は有していない。
【０１１４】
側板４１１，４１１’にはそれぞれ、外側に突出している前後のピン４１１ａ，４１１ｂが設けられており、これらのピンがガイドレール４０１の案内溝４０１ａで案内されることによってスライドフレーム４１０がガイドレール４０１に沿って略水平方向（中間転写ユニットＴＵのローラ１１０〜１５０の軸線方向と直交する略水平方向）にスライド可能となっている。案内溝４０１ａの先端部４０１ａ１（図１４，図１５参照）の溝幅は、位置決めのために、前位のピン４１１ａの直径と同じに形成されている。
【０１１５】
中間転写ユニットＴＵの一方の側板１０１には外側に突出している第１の位置決めピン１０１ａと第２の位置決めピン１０１ｂとが設けられている。第１の位置決めピン１０１ａは側板１０１に直接固定されているが、第２の位置決めピン１０１ｂは固定片１０１ｆを介して第１の位置決めピン１０１ａと直交する方向に向けて固定されている。また、他方の側板１０１’の外側には前記第１の位置決めピン１０１ａと同方向に向かう第３、第４の位置決めピン１０１ｃ，１０１ｄが固定されている。
【０１１６】
一方、スライドフレーム４１０の側板４１１の内面には、前記第１、第２の位置決めピン１０１ａ，１０１ｂの受け部４１４ａ，４１４ｂが設けられており、他方の側板４１１’の内面には、前記第３、第４の位置決めピン１０１ｃ，１０１ｄの受け部４１４ｃ，４１４ｄが設けられている。これら受け部４１４（ａ，ｂ，ｃ，ｄ）は、図１１にも示すように、それぞれ対応する位置決めピンの受け溝４１４ａ１，４１４ｂ１，４１４ｃ１，４１４ｄ１を有している。これら受け溝の溝幅はそれぞれ、上部においては各ピンの外径よりも十分に広く形成され、下部に向かって徐々に細くなるように形成されている。受け溝４１４ａ１，４１４ｂ１，４１４ｃ１の下端部４１４ａ２，４１４ｂ２，４１４ｃ２の溝幅は対応する位置決めピン１０１（ａ，ｂ，ｃ）の外径と同一に形成されており、受け溝４１４ｄ１の下端部４１４ｄ２の溝幅は対応する位置決めピン１０１ｄの外径よりも多少大きく形成されている。
【０１１７】
中間転写ユニットＴＵのスライドフレーム４１０への装着は、中間転写ユニットＴＵの各位置決めピンをスライドフレーム４１０の各受け溝に入れるようにして中間転写ユニットＴＵをスライドフレーム４１０内に上方から入れ込むことによってなされる。各受け溝の溝幅は上部において各ピンの外径よりも十分に広く形成されているので、装着作業は容易に行なうことができる。
【０１１８】
中間転写ユニットＴＵがスライドフレーム４１０へ装着された状態を図１２および図１３に示す。
【０１１９】
これらの図に示すように、中間転写ユニットＴＵがスライドフレーム４１０へ装着された状態では、位置決めピン１０１（ａ，ｂ，ｃ）が、対応する受け溝の下端部４１４ａ２，４１４ｂ２，４１４ｃ２と密に嵌まり合い、位置決めピン１０１ｄがその受け溝の下端部４１４ｄ２と緩く嵌まり合うことによって、図１２におけるＸ，Ｙ，Ｚ方向の位置決めがなされる。より詳しくは、位置決めピン１０１ａ，１０１ｃと、これに対応する受け溝の下端部４１４ａ２，４１４ｃ２との係合によってＸ方向の位置決めがなされ、４本の位置決めピンと、これに対応する受け溝の底辺部との当接によってＹ方向の位置決めがなされ、位置決めピン１０１ｂと、これに対応する受け溝の下端部４１４ｂ２との係合によってＺ方向の位置決めがなされる。位置決めピン１０１ｄと、その受け溝の下端部４１４ｄ２とが、緩く嵌まり合う構成となっているので、中間転写ユニットＴＵのフレーム１００、およびスライドフレーム４１０に多少の製造誤差があっても上記位置決めは円滑になされる。
【０１２０】
以上のようにして中間転写ユニットＴＵがスライドフレーム４１０に装着されると、スライドフレーム４１０に設けられた図示しない動力伝達ギアに、前述したテンション解除手段２４０の動力受け入れ用のギア２４９（図４，図７参照）が噛み合うようになっている。
【０１２１】
図１４に示すように、この実施の形態の画像形成装置３００は第１フレーム３００Ｆ１と、正面視略Ｌ字形の第２フレーム３００Ｆ２とを有しており、第２フレーム３００Ｆ２が第１フレーム３００Ｆ１に対して矢印Ｘ１，Ｘ２方向にスライド可能に構成されている。また、図１に示したケース３０１は同図におけるＢ−Ｂ位置で分離可能に構成されている。
【０１２２】
この実施の形態では、図１４に示すように、第２フレーム３００Ｆ２を矢印Ｘ２方向にスライドさせて第１フレーム３００Ｆ１から離間させ、両者間の空間Ａを利用してスライドフレーム４１０に対する中間転写ユニットＴＵの着脱操作を行なうようになっている。
【０１２３】
したがって、実際には、図１４および図１５に示すように、スライドフレーム４１０がガイドレール４０１の後端まで引き出された状態で、中間転写ユニットＴＵの着脱操作がなされる。
【０１２４】
図１４および図１５に示すように中間転写ユニットＴＵをスライドフレーム４１０に装着した後、スライドフレーム４１０を、その前位のピン４１１ａがガイドレール４０１の案内溝４０１ａの先端部４０１ａ１に達するまでスライドさせ、その後第２フレーム３００Ｆ２を矢印Ｘ１方向にスライドさせて第１フレーム３００Ｆ１と結合させることにより、図示しない適宜の位置決めロック手段によってスライドフレーム４１０すなわち中間転写ユニットＴＵが図１に示した位置に（感光体３２１に対して中間転写ベルト１６０が適切に当接し得る位置に）、位置決めされかつロックされるようになっている。このロックがなされた際、前述したテンション解除手段２４０のための、スライドフレーム４１０に設けられた図示しない動力伝達ギアが装置本体の図示しない駆動手段をなすギアと噛み合う。また、二次転写ローラ１８０の軸部１８１（図２参照）が装置３００本体側に設けられた接離機構と連結されて、二次転写ローラ１８０のバックアップローラ１３０に対する圧接およびその解除が可能となる。
【０１２５】
そして、このようにして、中間転写ユニットＴＵが装置３００本体に装着され、中間転写ベルト１６０の張力がテンション解除手段２４０により解除されていない状態、すなわちテンション解除手段２４０が非作動状態（図３に示す状態）となって中間転写ベルト１６０が張架状態となったとき、中間転写ベルト１６０がローラ１１０，１５０間でベルト１６０自身の張力により装置３００本体の感光体３２１に圧接され、一次転写部Ｔ１を形成することとなる。したがって、中間転写ユニットＴＵは中間転写ベルト１６０を感光体３２１に圧接するための一次転写ローラを有していない。
【０１２６】
また、中間転写ユニットＴＵがスライドフレーム４１０に装着されたとき、図４に示したクリーニング手段１７０のケース１７４の当接部１７４ｂがスライドフレーム４１０側のカム３０５と当接し得る状態となる。
【０１２７】
前述したような中間転写ユニットＴＵの着脱操作は、通常、ユーザにより画像形成装置３００の電源が切られた状態で行なわれるが、この実施の形態では、ユーザーが仮に画像形成装置３００の電源を切っていなくても、第２フレーム３００Ｆ２が第１フレーム３００Ｆ１から離間すると自動的に電源がＯＦＦするようになっている。したがって、スライドフレーム４１０を装置３００本体から引き出す際には、装置の電源（主電源とは限らない）が必ずＯＦＦとなっており、テンション解除手段２４０による中間転写ベルト１６０のテンションも解除された状態となっている。すなわち、中間転写ユニットＴＵが装置３００本体から引き出される際には、中間転写ベルト１６０の張力が解除された状態となっていることとなる。
【０１２８】
また、ユーザー等による中間転写ベルト１６０すなわち第１ユニットＵ１の交換がなされた後の中間転写ユニットＴＵがスライドフレーム４１０に装着される際には、第１ユニットＵ１の交換時になされる第２ユニットＵ２の第１ユニットＵ１に対する抜き差しが、テンション解除手段２４０が作動状態（カム２４４の小径部２４４ｂがカムフォロア２４３と当接している状態（図８参照））で行なわれることから、中間転写ベルト１６０の張力が解除された状態でなされることとなる。したがって、スライドフレーム４１０が装置３００本体に押し込まれることにより中間転写ユニットＴＵが装置３００本体に装着される際にも、中間転写ベルト１６０の張力が解除された状態となっていることとなる。
【０１２９】
以上のような画像形成装置によれば、次のような作用効果が得られる。
【０１３０】
（ａ）１つのバックアップローラ１３０を含む複数のローラ１１０〜１５０間に張架されて循環駆動され得る像担持体ベルト１６０と、バックアップローラ１３０との間で像担持体ベルト１６０および転写対象（この場合記録材Ｓ）を挟圧しつつ像担持体ベルト１６０上のトナー像を記録材Ｓに転写させる転写ローラとしての二次転写ローラ１８０とを有しているので、循環駆動される像担持体ベルト１６０上のトナー像を記録材Ｓに転写させることができる。
【０１３１】
また、像担持体ベルト１６０が循環駆動されないときに像担持体ベルト１６０の張力を解除し得るテンション解除手段２４０を有しているので、循環駆動されない期間が長くなったとしても、像担持体ベルト１６０にクリープ変形が生じなくなる。
【０１３２】
したがって、その後装置が作動し、像担持体ベルト１６０が循環駆動されたときに、画像に濃度むらが生じなくなる。
【０１３３】
そして、バックアップローラ１３０が像担持体ベルト１６０の蛇行を規制する蛇行規制部１３１を有しているとともに、像担持体ベルト１６０は蛇行規制部１３１により蛇行が規制される被規制部１６１を有しているので、像担持体ベルト１６０の蛇行が規制されて、品質の高い画像が形成されることとなる。
【０１３４】
さらに、二次転写ローラ１８０は像担持体ベルト１６０を介しバックアップローラ１３０に対して接離可能に構成され、像担持体ベルト１６０の張力が解除されたときには、二次転写ローラ１８０が像担持体ベルト１６０に軽く当接することで像担持体ベルト１６０の被規制部１６１がバックアップローラ１３０の蛇行規制部１３１から外れるのが防止されるから、像担持体ベルト１６０の前述したような幅方向の位置ズレも防止され、適正な画像が形成可能となる。
【０１３５】
しかも、転写ローラ１８０は、像担持体ベルト１６０の張力が解除されたときに、像担持体ベルト１６０に軽く当接するだけであるから、この当接によって像担持体ベルト１６０がクリープ変形するということはない。
【０１３６】
以上のように、この画像形成装置３００によれば、画像に濃度むらが生じずかつベルト１６０の位置ズレも生じないので、濃度むらのない適正な画像が得られ、さらに、像担持体ベルト１６０の蛇行が規制されるので、品質の高い画像が得られる。
【０１３７】
しかも、像担持体ベルト１６０の被規制部１６１がバックアップローラ１３０の蛇行規制部１３１から外れるのを転写動作に必要な転写ローラ１８０で防止するようになっているので、他に特別の防止手段を設けることが必ずしも必要ではなくなる。
【０１３８】
（ｂ）蛇行規制部はバックアップローラ１３０の側面１３１で構成され、被規制部は像担持体ベルト１６０の内周面に設けられた、前記側面１３１に当接するビード１６１で構成され、転写ローラ１８０の離間距離Ｌが、ビード１６１の高さＨよりも小さく構成されているので、像担持体ベルト１６０のビード１６１がバックアップローラ１３０の側面１３１から外れるのを確実に防止することができる。
【０１３９】
（ｃ）テンション解除手段２４０は、像担持体ベルト１６０に張力を付与し、または張力を解除するテンションローラ１２０を有しているので、このテンションローラ１２０の作用によって像担持体ベルト１６０に張力が付与されまたは解除されることとなる。
【０１４０】
このようなテンションローラ１２０を備えていると、このテンションローラ１２０への巻掛け部においてベルト１６０が特に蛇行（ないし斜行）し易い傾向が生じることがあるが、この画像形成装置３００によれば、バックアップローラ１３０が、像担持体ベルト１６０の循環方向に関してテンションローラ１２０のすぐ下流に配置されているので、仮にテンションローラ１２０への巻掛け部においてベルト１６０が蛇行（ないし斜行）したとしても、すぐにその下流において蛇行（ないし斜行）が矯正されることとなる。
【０１４１】
したがって、ベルトの蛇行（斜行）量を低減させることができる。
【０１４２】
（ｄ）テンションローラ１２０以外のローラ１１０，１３０，１４０，１５０と像担持体ベルト１６０とが第１ユニットＵ１として構成されているとともに、テンションローラ１２０およびテンション解除手段２４０が第２ユニットＵ２として構成され、かつ、この第２ユニットＵ２が、第１ユニットＵ１に対して着脱可能に構成されているので、像担持体ベルト１６０に寿命が来たときには第１ユニットＵ１のみを交換すればよく、第２ユニットＵ２については交換する必要がなくなる。したがって、省資源化を図ることができる。また、像担持体ベルト１６０の交換は、第１ユニットＵ１ごと行なうことができるので、その作業を容易に行なうことができる。
【０１４３】
そして、この画像形成装置３００では、第２ユニットＵ２が抜かれた場合でも、ビード１６１がバックアップローラ１３０の端面１３１から外れてしまうということがないので、例えばメンテナンス時に第２ユニットＵ２が抜かれたときでも中間転写ベルト１６０の幅方向の位置がずれてしまうということがなくなる。
【０１４４】
（ｅ）第２ユニットＵ２は、第１ユニットＵ１に対してテンションローラ１２０の軸線方向において抜き差しされることで第１ユニットＵ１に対して着脱可能に構成されているとともに、テンションローラ１２０の端部１２２はテーパ状に構成されているので、第２ユニットＵ２の着脱操作を容易に行なうことが可能となる。
【０１４５】
（ｆ）第２ユニットＵ２の第１ユニットＵ１に対する着脱は、テンションローラ１２０が像担持体ベルト１６０に張力を付与しない位置にある状態（テンション解除状態）でなされるので、着脱操作が一層容易になる。
【０１４６】
（ｇ）中間転写ユニットＴＵは、そのテンション解除手段２４０により中間転写ベルト１６０の張力が解除された状態で装置３００本体に対して着脱されるので、着脱の際に中間転写ベルト１６０の表面と装置本体の感光体３２１の表面とが強く擦れ合うということがなくなる。仮に、着脱時に中間転写ベルト１６０の表面と装置本体の感光体３２１の表面とが接触したとしても、その接触は、テンション解除手段２４０により中間転写ベルト１６０の張力が解除された状態での接触となるため、極めて軽い接触となる。
【０１４７】
したがって、中間転写ベルト１６０表面あるいは装置本体の感光体３２１表面に傷が付いてしまうということがなくなる（少なくとも著しく軽減される）。
【０１４８】
すなわち、この実施の形態の画像形成装置によれば、テンション解除手段２４０を有する中間転写ユニットＴＵを、その中間転写ベルト１６０表面あるいは装置本体の感光体３２１表面に傷を付けることなく、着脱することができる。
【０１４９】
（ｈ）装置３００本体は略水平方向に引き出されるスライドフレーム４１０を有しており、中間転写ユニットＴＵは、このスライドフレーム４１０に対して上方から装着して、スライドフレーム４１０を装置本体に押し込むことにより装置本体に装着される構成となっているので、中間転写ユニットＴＵを直接装置３００本体に対して水平方向に出し入れする場合に比べて、着脱操作が容易になる。
【０１５０】
しかも、中間転写ユニットＴＵはスライドフレーム４１０に対して装着された状態で、スライドフレーム４１０ごと装置３００本体に押し込まれることで装置本体に装着されるので、中間転写ユニットＴＵを直接装置３００本体に対して装着する場合には生じるであろう装置本体との不測の接触等による中間転写ベルト１６０の傷付きが確実に防止されることとなる。
【０１５１】
以上、本発明の一実施の形態について説明したが、本発明は上記の実施の形態に限定されるものではなく、本発明の要旨の範囲内において適宜変形実施可能である。
【０１５２】
例えば、
▲１▼上記実施の形態では像担持体ベルトとして中間転写ベルトを挙げて説明したが、この発明の構成は感光体ベルトの張力付与および解除構造にも採用し得る。
【０１５３】
▲２▼テンションローラの懸架構造およびテンション解除構造も適宜の構造を採用し得る。
【０１５４】
【発明の効果】
請求項１〜３記載のいずれの画像形成装置によっても、画像に濃度むらが生じずかつベルトの位置ズレも生じないので、濃度むらのない適正な画像が得られ、さらに、像担持体ベルトの蛇行が規制されるので、品質の高い画像が得られる。
【０１５５】
しかも、像担持体ベルトの被規制部がバックアップローラの蛇行規制部から外れるのを転写動作に必要な転写ローラで防止するようになっているので、他に特別の防止手段を設けることが必ずしも必要ではなくなる。
【０１５６】
さらに、
請求項２記載の画像形成装置によれば、像担持体ベルトのビードが前記バックアップローラの側面から外れるのを確実に防止することができる。
【０１５７】
請求項３記載の画像形成装置によれば、ベルトの蛇行（斜行）量を低減させることができる。
【０１５８】
【図面の簡単な説明】
【図１】本発明に係る画像形成装置の一実施の形態を示す概略図。
【図２】中間転写ユニットの一例および、このユニットＴＵを着脱可能に装着するために画像形成装置に設けられた受けフレーム４００およびそのスライドフレーム４１０を示す斜視図。
【図３】主として中間転写ユニットＴＵを示す一部省略正面図。
【図４】テンションが解除された状態の中間転写ユニットＴＵを示す一部省略背面図。
【図５】中間転写ユニットＴＵの第２ユニットＵ２を第１ユニットＵ１から取り外した状態を示す部分省略斜視図。
【図６】中間転写ユニットＴＵの第２ユニットＵ２を第１ユニットＵ１に挿入する状態を示す部分省略斜視図。
【図７】第２ユニットＵ２を示す一部省略右側面図。
【図８】テンションが解除された状態の中間転写ユニットＴＵを主として示す一部省略正面図。
【図９】中間転写ベルト１６０およびローラ１１０〜１５０の概略的な展開図。
【図１０】（ａ）は中間転写ユニットＴＵの第１ユニットＵ１に対する第２ユニットＵ２の装着構造の一例を示す部分省略平面図、（ｂ）は同じく部分省略正面図。
【図１１】中間転写ユニットＴＵとスライドフレーム４１０とを示す部分省略正面図。
【図１２】中間転写ユニットＴＵがスライドフレーム４１０へ装着された状態を示す部分省略斜視図。
【図１３】中間転写ユニットＴＵがスライドフレーム４１０へ装着された状態を示す部分省略正面図。
【図１４】画像形成装置のフレーム構造および、中間転写ユニットＴＵの着脱操作を説明する概略正面図。
【図１５】中間転写ユニットＴＵがスライドフレーム４１０へ装着された状態を示す部分省略斜視図。
【図１６】（ａ）（ｂ）は従来技術の説明図。
【符号の説明】
１２０    テンションローラ
１３０    バックアップローラ
Ｓ    記録材（転写対象）
１３１    蛇行規制部（側面）
１６０    中間転写ベルト（像担持体ベルト）
１６１    ビード（被規制部）
Ｈ    ビードの高さ
１８０    二次転写ローラ（転写ローラ）
Ｌ    離間距離
２４０    テンション解除手段
３００    画像形成装置
【図１】
0003783459.tif 000002
【図２】
0003783459.tif 000003
【図３】
0003783459.tif 000004
【図４】
0003783459.tif 000005
【図５】
0003783459.tif 000006
【図６】
0003783459.tif 000007
【図７】
0003783459.tif 000008
【図８】
0003783459.tif 000009
【図９】
0003783459.tif 000010
【図１０】
0003783459.tif 000011
【図１１】
0003783459.tif 000012
【図１２】
0003783459.tif 000013
【図１３】
0003783459.tif 000014
【図１４】
0003783459.tif 000015
【図１５】
0003783459.tif 000016
【図１６】
0003783459.tif 000017